(57)【要約】【課題】  本に挿むしおりが落ち難く、しおりを挿んだページが開き易く、しおりを挿んだページから外しても紛失し難く、さらに美しいしおりの提供を課題とした。【解決手段】  厚さの薄い人形、短冊やその他の創作物で構成するしおり本体（Ａ）とリング（Ｒ）とを糸または紐（Ｄ）で連結し、リング（Ｒ）にヘアピンまたはクリップで構成する固定具（Ｂ）を挿入した構造とし、さらにヘアピンまたはクリップで構成する固定具（Ｂ）をブックカバーの背部に固定するために、ブックカバー背部（Ｅ）の天井部を含む上部に施した穴または突起状の挿入口（Ｇ）をもつブックカバーを提供した。【選択図】図１
2013173336.tif 000002
【特許請求の範囲】
【請求項１】
本に挿むしおりで、厚さの薄い人形、短冊やその他の創作物で構成するしおり本体（Ａ）とリング（Ｒ）とを糸または紐（Ｄ）で連結した構造を特徴とするしおり。
【請求項２】
請求項１のリング（Ｒ）にヘアピンまたはクリップで構成する固定具（Ｂ）を挿入した構造を特徴とするしおり。
【請求項３】
請求項２のしおりのヘアピンまたはクリップで構成する固定具（Ｂ）の挿入に適したブックカバーで、ブックカバー背部（Ｅ）の天井部を含む上部に穴または突起状の挿入口（Ｇ）を施したブックカバー。
【発明の詳細な説明】
【技術分野】
【０００１】    本発明は、本に挿むしおりに関する。
【背景技術】
【０００２】    従来、しおりとして一般に普及しているのは、本またはブックカバーと一体化した紐しおりや短冊しおりである。
紐しおりは、丸まって本の外に紐の先が出ていない場合には、ページが開き難く、また実用的過ぎて美しさに欠ける。
短冊しおりは、読書中では巻頭か巻末に挿むことが多いため本から落下して紛失してしまうことがよくある。【０００３】    また、しおり本体がクリップ式のしおり（日本特開２００５−０５９５６０、２００４−４２４０３、２００３−１９１６６４、２０００−１０８５４９）では、ページに装着している時は落下による紛失を防げるものの、毎回装着の手間がかかる。【０００４】    さらに、クリップに紐しおりを取り付けたしおり（実用新案登録３０８４８５１、３０１９５３７、３０１６１０４）では、従来の紐しおりの欠点とともに本のサイズに合わせて紐の長さを調節する必要がある。
【先行技術文献】
【特許文献】
【０００５】
【特許文献１】特開２００５−０５９５６０号
【特許文献２】特開２００４−４２４０３号
【特許文献３】特開２００３−１９１６６４号
【特許文献４】特開２０００−１０８５４９号
【特許文献５】実用新案登録３０８４８５１号
【特許文献６】実用新案登録３０１９５３７号
【特許文献７】実用新案登録３０１６１０４号
【発明の概要】
【発明が解決しようとする課題】
【０００６】    本発明は、本に挿むしおりが落ち難く、しおりを挿んだページが開き易く、しおりを挿んだページから外しても紛失し難く、さらに美しいしおりの提供を課題としている。
【課題を解決するための手段】
【０００７】    本発明は、厚さの薄い人形、短冊やその他の創作物で構成するしおり本体（Ａ）とリング（Ｒ）とを糸または紐（Ｄ）で連結し、リング（Ｒ）にヘアピンまたはクリップで構成する固定具（Ｂ）を挿入した構造とした。【０００８】    固定具（Ｂ）をブックカバーの背部に固定するために、ブックカバー背部（Ｅ）の天井部を含む上部に穴または突起状の挿入口（Ｇ）を施したブックカバーとした。
【発明の効果】
【０００９】    本発明は、厚さの薄い人形、短冊やその他の創作物で構成するしおり本体（Ａ）とリング（Ｒ）とを糸または紐（Ｄ）で連結したことによって、自分の好みに合った固定具（Ｂ）に交換することが容易にできる。【００１０】    そして、リング（Ｒ）にヘアピンまたはクリップで構成する固定具（Ｂ）を挿入した構造としたことによって、ヘアピンまたはクリップで構成する固定具（Ｂ）をブックカバーの背や本の巻頭または巻末のページに容易に取り付けることができ、しおり本体（Ａ）を読書時には本の外に出し、読書終了時にはしおり本体（Ａ）を本に挿みこむだけの操作のため手間が掛からず、しおり本体（Ａ）はヘアピンまたはクリップで構成する固定具（Ｂ）の頭部（Ｃ）にリング（Ｒ）で連結しているので、落下によるしおり本体（Ａ）の紛失が起こり難い。【００１１】    また、ブックカバー背部（Ｅ）の天井部を含む上部に穴または突起状の挿入口（Ｇ）を施したり、粘着シートの中央を通過しシートの両端を結ぶ直線上には粘着剤が塗られていない粘着シートをブックカバー背部（Ｅ）の天井部を含む上部に貼り付けることにより、ヘアピンまたはクリップで構成する固定具（Ｂ）をブックカバーの背部に固定できるため、ヘアピンまたはクリップで構成する固定具（Ｂ）の位置がずれ難い。【００１２】    さらに、本発明は、しおり本体（Ａ）を紙人形や装飾短冊にしたり、リング（Ｒ）を抜いて様々な装飾を施したヘアピンまたはクリップで構成する固定具（Ｂ）に交換することが容易に可能なため、美しいしおりを多様に楽しむことができる。
【図面の簡単な説明】
【００１３】
【図１】厚さの薄い人形、短冊やその他の創作物で構成するしおり本体（Ａ）とリング（Ｒ）とを糸または紐（Ｄ）で連結し、リング（Ｒ）にヘアピンまたはクリップで構成する固定具（Ｂ）を挿入した、この発明にかかる好ましいしおりの正面図である。
【図２】粘着シートの中央を通過しシートの両端を結ぶ直線上には粘着剤が塗られていない粘着シート（Ｆ）の正面図であり、斜線部分には粘着剤が塗られていない。
【図３】ブックカバー背部（Ｅ）の天井部を含む上部に施した穴または突起状の挿入口（Ｇ）をもつブックカバーの正面図である。
【発明を実施するための形態】
【００１４】    本発明をより詳細に説述するために、添付の図面に従ってこれを説明する。
【００１５】    本発明を実施するための形態は、厚さの薄い人形、短冊やその他の創作物で構成するしおり本体（Ａ）とリング（Ｒ）とを糸または紐（Ｄ）で連結し、リング（Ｒ）にヘアピンまたはクリップで構成する固定具（Ｂ）を挿入した構造である。
【００１６】    しおり本体の厚さは、５ｍｍ以内が好ましい。
【００１７】    また、ヘアピンまたはクリップで構成する固定具（Ｂ）をブックカバーの背部に固定するために、ブックカバー背部（Ｅ）の天井部を含む上部に穴または突起状の挿入口（Ｇ）を施したり、粘着シートの中央を通過しシートの両端を結ぶ直線上には粘着剤が塗られていない粘着シートをブックカバー背部（Ｅ）の天井部を含む上部に貼り付けることが好ましい。
【実施例】
【００１８】    本発明の実施例を示すと、図１のボビーピン型ヘアピンの固定具（Ｂ）の足の一方を図２のブックカバーの背に貼付した粘着シート（Ｆ）の粘着剤が塗られていない部分に挿入しながらブックカバーの背を挿むか、もしくは図３のブックカバーに施した挿入口（Ｇ）に図１の固定具（Ｂ）の足の一方を挿入しながらブックカバーの背を挿むかして、固定具（Ｂ）を取り付け、読書時にはしおり本体（Ａ）を本の外に出し、読書終了時にはしおり本体（Ａ）を本に挿み込む。【００１９】    図２の粘着シート（Ｆ）または図３の穴または突起状の挿入口（Ｇ）が無い場合には、ブックカバーの背や本の巻頭または巻末のページに固定具（Ｂ）を挟んで取り付ける。【００２０】    気分によって様々な装飾を施したボビーピン型ヘアピンの固定具（Ｂ）に交換したい場合には、リング（Ｒ）を抜いて交換する。
【産業上の利用可能性】
【００２１】    単なる本の付属品としてではなく、読書のアクセサリーとして利用価値が高まるしおりである。
【符号の説明】
【００２２】Ａ  しおり本体
Ｂ  固定具
Ｃ  ヘアピンまたはクリップの頭部
Ｄ  糸または紐
Ｅ  ブックカバー背部
Ｆ  粘着シート
Ｇ  挿入口
Ｒ  リング
【図１】
2013173336.tif 000003
【図２】
2013173336.tif 000004
【図３】
2013173336.tif 000005